(57)【特許請求の範囲】
【請求項１】
頂部及び底部を有している本体と、
前記本体の前記底部に凹み入られている入光面と、
前記本体の前記頂部に凹み入られ、前記入光面に対向している反射面である凹み表面と、
前記頂部と前記底部を接続している出光面と、
を含み、
前記凹み表面は複数のプリズム面ユニットを有し、
各前記プリズム面ユニットは、延伸方向が互いに異なる法線を有し、
前記凹み表面は、エンドポイントを有する略錐面であり、
前記エンドポイントから離れている各前記プリズム面ユニットの面積は、前記エンドポイントに近接している各前記プリズム面ユニットの面積より大きく、
各前記プリズム面ユニットは、扇形であり、且つ第１側縁と第２側縁を有し、
前記エンドポイントから離れている前記第１側縁と前記第２側縁との間の距離は、前記エンドポイントに近接している前記第１側縁と前記第２側縁との間の距離より大きい
ことを特徴とする光学レンズ。
【請求項２】
前記プリズム面ユニットは前記エンドポイントを中心として放射状に配列されている
ことを特徴する請求項１に記載の光学レンズ。
【請求項３】
前記プリズム面ユニットは前記エンドポイントを中心として環状に配列されている
ことを特徴する請求項１に記載の光学レンズ。
【請求項４】
前記凹み表面は、少なくとも一つの光学面ユニットを有し、前記プリズム面ユニットと少なくとも一つの前記光学面ユニットを繋ぎ合わせて形成されていて、
各前記プリズム面ユニットは、一つの方向だけの法線を有して、前記プリズム面ユニット以外の部分が前記光学面ユニットである
ことを特徴する請求項１〜３のうちの何れか１項に記載の光学レンズ。
【請求項５】
背面板と、
前記背面板に設置されている反射シートと、
前記背面板に設置されており、光線を提供するための少なくとも一つの光源と、
前記少なくとも一つの光源の上方に設置されており、請求項１〜４のうちの何れか１項に記載の少なくとも一つの光学レンズと、
前記反射シートの上方に設置されている光学板と、を備え、
前記少なくとも一つの光源により提供される光線は、前記光学レンズの前記入光面から前記本体に入り、それぞれの前記プリズム面ユニットによって反射された後、前記出光面より出射されてから、前記光学板から出射される
ことを特徴とするバックライトモジュール。
【請求項６】
前記反射シートは少なくとも一つの貫通穴を有しており、前記光学レンズが対応して前記貫通穴に嵌め込まれており、
前記光源は、前記背面板に設置される回路基板を備え、
前記回路基板には、少なくとも一つの発光ユニットが設置されており、
前記発光ユニットは前記光学レンズの下方に設置されている
ことを特徴とする請求項５に記載のバックライトモジュール。
【請求項７】
前記本体は更に入光空間を備え、前記入光面は前記入光空間の内表面であり、前記発光ユニットは、対応する前記入光空間の下方に設置される
ことを特徴とする請求項６に記載のバックライトモジュール。
【請求項８】
前記本体の前記底部には少なくとも一つのピンが設けられ、
前記光学レンズは、前記光学レンズと前記回路基板の間に収容空間が形成されるように、前記ピンを介して前記回路基板に設置されている
ことを特徴とする請求項６に記載のバックライトモジュール。
【請求項９】
請求項５〜８のうちの何れか１項に記載のバックライトモジュールと、
前記バックライトモジュールの光学板の上方に設置されている表示パネルと、を備える
ことを特徴とする表示装置。
【発明の詳細な説明】
【技術分野】
【０００１】
本発明は光学部材に関し、特に光学レンズ、バックライトモジュール及び表示装置に関する。
【背景技術】
【０００２】
直下型バックライトモジュールの軽量化に対する必要を満たすために、直下型バックライトモジュールにおける二次レンズの光混合距離を直接短縮するか、あるいは発光ダイオードの設置数を減少することは一般的である。
【０００３】
二次レンズは主に屈折式レンズと反射式レンズを含んでいる。屈折式レンズの出光角度が約７５度のみであるため、出光ダイオード間のピッチ（ＬＥＤ  ｐｉｔｃｈ）が大き過ぎると、出光の均一度が良くなくなる。反射式レンズの出光角度が９０度より大きいであるが、このような反射式レンズの入光面と出光面は複雑な曲面に設計されなければならない。複雑な曲面に必要な成型の精度が高いため、コストが高くなる。さらに、反射式レンズ自体も製造の困難により成型精度が低くなりやすく、そして出光効果に影響を与える。
【発明の概要】
【発明が解決しようとする課題】
【０００４】
そこで、本発明は、加工しやすくて均一に出光できる利点を有する光学レンズ、バックライトモジュール及び表示装置を提供することを目的とする。
【課題を解決するための手段】
【０００５】
本発明は、上記目的に基づき、光学レンズを提供する。当該光学レンズは本体、入光面、凹み表面及び出光面を含んでいる。本体は頂部及び底部を有している。入光面は本体の底部に凹み入られている。凹み表面は本体の頂部に凹み入られ、入光面に対向している。凹み表面は複数のプリズム面ユニットを有している。各プリズム面ユニットは、延伸方向が互いに異なる法線を有する。出光面は頂部と底部を接続している。これにより、光線は入光面から本体に入り、それぞれのプリズム面ユニットによって反射された後、出光面より出射される。
【０００６】
本発明の一実施例によれば、上記プリズム面ユニットにおける任意の隣接している両者の辺は互いに接合してもよい。
【０００７】
本発明の他の実施例によれば、上記凹み表面は、エンドポイントを有する略錐面であり、プリズム面ユニットはエンドポイントを中心として放射状に配列されてもよい。
【０００８】
本発明のもう一つの実施例によれば、上記凹み表面は、エンドポイントを有する略錐面であり、プリズム面ユニットはエンドポイントを中心として環状に配列されてもよい。
【０００９】
本発明のさらにもう一つの実施例によれば、上記凹み表面は、エンドポイントを有する略錐面であり、エンドポイントから離れているプリズム面ユニットの面積は、エンドポイントに近接しているプリズム面ユニットの面積より大きくてもよい。
【００１０】
本発明のさらにもう一つの実施例によれば、上記各プリズム面ユニットは三角形、四辺形、菱形、五角形、六角形、扇形、多角形、不規則形状、或いはこれらの組み合わせであってもよい。
【００１１】
本発明のさらにもう一つの実施例によれば、上記凹み表面は更に少なくとも一つの光学面ユニットを有し、凹み表面はプリズム面ユニットと光学面ユニットを繋ぎ合わせて形成されてもよい。
【００１２】
本発明のさらにもう一つの実施例によれば、上記凹み表面はプリズム面ユニットを繋ぎ合わせて形成されてもよい。
【００１３】
本発明のさらにもう一つの実施例によれば、上記入光面は、所定の傾斜度を有してもよい。
【００１４】
本発明のさらにもう一つの実施例によれば、上記出光面は、所定の傾斜度を有してもよい。
【００１５】
本発明は、上記目的に基づいて、バックライトモジュールを提供する。このバックライトモジュールは背面板と、反射シートと、少なくとも一つの光源と、少なくとも一つの前記光学レンズと光学板とを備えている。反射シートは背面板に設置されている。光源は、背面板に設置されており、光線を提供するためのものである。光学レンズは光源の上方に設置されている。光学板は反射シートの上方に設置されている。光源により提供される光線を光学レンズの入光面から本体に入り、それぞれのプリズム面ユニットによって反射された後、出光面より出射されてから、光学板から出射される。
【００１６】
本発明のさらにもう一つの実施例によれば、上記反射シートは少なくとも一つの貫通穴を有し、光学レンズが貫通穴に対応して嵌め込まれており、光源は、背面板に設置される回路基板と、回路基板に設置された少なくとも一つの発光ユニットと、を備え、発光ユニットは光学レンズの下方に設置されてもよい。
【００１７】
本発明のさらにもう一つの実施例によれば、上記本体は更に入光空間を備え、入光面は入光空間の内表面であり、光源は対応の入光空間の下方に設置されてもよい。
【００１８】
本発明のさらにもう一つの実施例によれば、上記本体の該底部には少なくとも一つのピンが設けられており、光学レンズは、光学レンズと回路基板の間に収容空間が形成されるように、ピンを介して回路基板に設置されてもよい。
【発明の効果】
【００１９】
上記によれば、本発明の光学レンズは、延伸方向が異なる法線を有しているプリズム面ユニットによって形成された凹み表面を反射面とし、光線を反射して光線の光学レンズにおける進行方向を調整することで、出光角度を制御するという目的を達することができる。また、各プリズム面の配列方式、サイズ又は形状を変更することにより、光線の進行方向を部分的に調整するという目的も達することができる。これにより、バックライトモジュールと表示装置に応用される光学レンズの数及び全体的な厚さを減らすことができ、バックライトモジュールと表示装置の出光均一度を向上させることができる。一方、本発明の入光面と出光面を、所定の傾斜度を有している斜面とすることにより、光学レンズの製造の簡易化を図り、光学レンズの成形精度を向上させることができる。
【図面の簡単な説明】
【００２０】
【図１Ａ】本発明の第１実施形態に係る光学レンズの斜視図である。
【図１Ｂ】本発明の第１実施形態に係る光学レンズの側面図である。
【図１Ｃ】本発明の第１実施形態に係る光学レンズの上面図である。
【図２Ａ】本発明の第２実施形態に係る光学レンズの斜視図である。
【図２Ｂ】本発明の第２実施形態に係る光学レンズの側面図である。
【図２Ｃ】本発明の第２実施形態に係る光学レンズの上面図である。
【図３Ａ】本発明の第３実施形態に係る光学レンズの斜視図である。
【図３Ｂ】本発明の第３実施形態に係る光学レンズの側面図である。
【図３Ｃ】本発明の第３実施形態に係る光学レンズの上面図である。
【図４Ａ】本発明の第４実施形態に係る光学レンズの斜視図である。
【図４Ｂ】本発明の第４実施形態に係る光学レンズの上面図である。
【図５Ａ】本発明の第５実施形態に係る光学レンズの斜視図である。
【図５Ｂ】本発明の第５実施形態に係る光学レンズの上面図である。
【図６Ａ】本発明の第６実施形態に係る光学レンズの斜視図である。
【図６Ｂ】本発明の第６実施形態に係る光学レンズの上面図である。
【図７Ａ】本発明の第７実施形態に係る光学レンズの斜視図である。
【図７Ｂ】本発明の第７実施形態に係る光学レンズの上面図である。
【図７Ｃ】本発明の第８実施形態に係る光学レンズの上面図である。
【図７Ｄ】本発明の第９実施形態に係る光学レンズの上面図である。
【図７Ｅ】本発明の第１０実施形態に係る光学レンズの上面図である。
【図８】本発明の一実施形態に係るバックライトモジュールの装置を示す図である。
【図９】本発明の一実施形態に係る表示装置の装置を示す図である。
【発明を実施するための形態】
【００２１】
実施例及びその利点を完璧に理解できるために、図面を参照して以下のように記述する。
図１Ａ〜図１Ｃを参照し、図１Ａ〜図１Ｃは、それぞれ本発明の第１実施形態に係る光学レンズの斜視図、側面図及び上面図である。本実施形態に係る光学レンズ１００は主にバックライトモジュールに用いられ、バックライトモジュールにおける光源の出光角度を増加させ、光の照射範囲を広げ、これによってバックライトモジュールの出光均一度を向上させる。
【００２２】
続いて、図１Ａ〜図１Ｃを参照し、光学レンズ１００は、主に本体１１０、入光面１２０、凹み表面１３０及び出光面１４０を備えている。本体１１０は、対向している頂部１１１及び底部１１３を備えている。入光面１２０は、本体１１０の底部１１３に凹み入られることで、入光空間１１３ａを形成している。すなわち、入光面１２０を入光空間１１３ａの内表面として定義することができる。光源１６０は入光空間１１３ａの下方に設置されており、光源１６０により生成された光線は入光面１２０から本体１１０に入ることができる。一実施例において、入光面１２０は、所定の傾斜度を有するため、加工しやすくなる。
【００２３】
図１Ａ〜図１Ｃに示すように、凹み表面１３０は本体１１０の頂部１１１に凹み入られる。また、凹み表面１３０は入光面１２０に対向している反射面である。凹み表面１３０は複数のプリズム面ユニット１３１を有しており、これらのプリズム面ユニット１３１のうち任意の隣接している両者の辺は互いに接合している。すなわち、凹み表面１３０が、これらのプリズム面ユニット１３１が互いに繋ぎ合わせられて形成されている。一実施例において、凹み表面１３０は、エンドポイント１３０ａを有する略錐面である。図１Ｃに示すように、プリズム面ユニット１３１はこのエンドポイント１３０ａを中心として放射状に配列されている。他の実施例において、エンドポイント１３０ａから離れているプリズム面ユニット１３１の面積は、エンドポイント１３０ａに近接しているプリズム面ユニット１３１の面積より大きい。本実施例において、プリズム面ユニット１３１の形状は六角形と五角形とを組み合わせたものである。他の実施例において、プリズム面ユニット１３１の形状は三角形、四辺形、菱形、扇形、多角形、不規則形状、或いはこれらの任意の組み合わせであってもよい。
【００２４】
続いて、図１Ａ〜図１Ｃを参照し、本実施例において、各プリズム面ユニット１３１は法線１３１ａを有している。また、これらの法線１３１ａの延伸方向は互いに異なっている。すなわち、これらのプリズム面ユニット１３１は互いに異なる斜面又は曲面である。さらに具体的には、ここでの「法線」とは、各プリズム面ユニット１３１と直交する直線である。また、異なる傾斜度又は異なる曲率を有しているプリズム面ユニット１３１の法線１３１ａの延伸方向はいずれも異なっている。
【００２５】
図１Ａ及び図１Ｂに示すように、出光面１４０は、本体１１０の側面であり、本体１１０の頂部１１１及び底部１１３を接続している。そのため、図１Ｂに示すように、光源１６０により生成された光線は、入光面１２０から本体１１０に入り、各プリズム面ユニット１３１によってそれぞれ反射された後、出光面１４０より出光される。さらに、プリズム面ユニット１３１は、異なる傾斜度又は異なる曲率を有している表面であるため、光線が入光面１２０から本体１１０に入ってプリズム面ユニット１３１に出射されてから、これらの異なる傾斜度又は異なる曲率のプリズム面ユニット１３１は、それぞれ光線を反射することで、光線の進行方向を変えることができる。そのため、光線が出光面１４０から出射される時、異なる進行方向を有することが可能であり、これによって、光の照射範囲を広げて光線を均一化させる目的を達することができる。一実施例において、出光面１４０は、所定の傾斜度を有しているため、加工しやすい利点を有する。
【００２６】
本発明において、光学レンズが異なる構造を有してもよい。図２Ａ〜図２Ｃを参照し、図２Ａ〜図２Ｃは、それぞれ本発明の第２実施形態に係る光学レンズの斜視図、側面図及び上面図である。図２Ａ〜図２Ｃに示された光学レンズ２００の構造は概ね前記光学レンズ１００の構造と同じであるが、差異点としては、光学レンズ２００の凹み表面２３０が同じ四辺形のプリズム面ユニット２３１により繋ぎ合わせて構成される点のみである。図２Ａ〜図２Ｃに示すように、光学レンズ２００は同様に、本体１１０、入光面１２０、凹み表面２３０及び出光面１４０を備えている。一実施例において、入光面１２０と出光面１４０は、所定の傾斜度を有している。
【００２７】
続いて図２Ａ〜図２Ｃを参照し、本実施例において、各プリズム面ユニット２３１は法線２３１ａを有している。また、これらの法線２３１ａの延伸方向は互いに異なっている。すなわち、これらのプリズム面ユニット２３１は互いに異なる斜面又は曲面である。その他、凹み表面２３０は同様に、エンドポイント２３０ａを有する略錐面である。図２Ｃに示すように、本実施例において、それぞれのプリズム面ユニット２３１の形状が四辺形であり、これらのプリズム面ユニット２３１はエンドポイント２３０ａを中心として環状に配列されている。同様に、エンドポイント２３０ａから離れているプリズム面ユニット２３１の面積は、エンドポイント２３０ａに近接しているプリズム面ユニット２３１の面積より大きい。
【００２８】
そのため、図２Ｂに示すように、光源１６０により生成された光線は、入光面１２０から本体１１０に入ることができ、各プリズム面ユニット２３１によってそれぞれ反射された後、出光面１４０により出射することで、前記と同様な目的を達することができ、ここで、記述を省略する。
【００２９】
図３Ａ〜図３Ｃを参照し、図３Ａ〜図３Ｃは、それぞれ本発明の第３実施形態に係る光学レンズの斜視図、側面図及び上面図である。図３Ａ〜図３Ｃに示された光学レンズ３００の構造は概ね前記光学レンズ２００の構造と同じであるが、差異点としては、光学レンズ３００の凹み表面３３０が異なる形状のプリズム面ユニット３３１により繋ぎ合わせて構成されている点のみである。図３Ａ〜図３Ｃに示すように、光学レンズ３００は、同様に、本体１１０、入光面１２０、凹み表面３３０及び出光面１４０を備えている。一実施例において、入光面１２０と出光面１４０は、所定の傾斜度を有しているため、加工しやすい利点を有している。
【００３０】
続いて図３Ａ〜図３Ｃを参照し、本実施例において、各プリズム面ユニット３３１は法線３３１ａを有している。また、これらの法線３３１ａの延伸方向は互いに異なっている。すなわち、これらのプリズム面ユニット３３１は互いに異なる斜面又は曲面である。その他、凹み表面３３０は同様に、エンドポイント３３０ａをする略錐面である。本実施例において、図３Ｃに示すように、一部のプリズム面ユニット３３１の形状は四辺形であり、一部のプリズム面ユニット３３１の形状は三角形であり、これらのプリズム面ユニット３３１はエンドポイント３３０ａを中心として放射状に配列されていることで、前記と同様な目的を達することができ、ここで、記述を省略する。
【００３１】
図４Ａ及び図４Ｂを参照し、図４Ａ及び図４Ｂは、それぞれ本発明の第４実施形態に係る光学レンズの斜視図及び上面図である。図４Ａ及び図４Ｂに示された光学レンズ４００の構造は概ね前記光学レンズ３００の構造と同じであるが、差異点としては、光学レンズ４００の凹み表面４３０が扇形のプリズム面ユニット４３１により繋ぎ合わせて構成されていることで、前記と同様な目的を達することができ、ここで、記述を省略する。
【００３２】
さらに具体的には、図１Ａ〜図４Ｂに示された実施例の光学レンズ１００、２００、３００及び４００の凹み表面１３０、２３０、３３０及び４３０はそれぞれプリズム面ユニット１３１、２３１、３３１及び４３１により繋ぎ合わせて構成されている。他の実施例において、凹み表面１３０、２３０、３３０及び４３０は異なる構造の設定を有してもよい。図５Ａ及び図５Ｂを参照し、図５Ａ及び図５Ｂは、それぞれ本発明の第５実施形態に係る光学レンズの斜視図及び上面図である。図５Ａ及び図５Ｂに示された光学レンズ５００の構造は概ね前記光学レンズ１００、２００、３００及び４００の構造と同じであるが、差異点としては、光学レンズ５００の凹み表面５３０がプリズム面ユニット５３１及び光学面ユニット５３３により繋ぎ合わせて構成される点のみである。すなわち、凹み表面５３０において、プリズム面ユニット５３１が部分的に設置されており、プリズム面ユニット５３１が設置されない部分は光学面ユニット５３３であり、これにより光線の進行路線を部分的に制御するという目的を達することができる。
【００３３】
図５Ａ及び図５Ｂに示すように、凹み表面５３０は、エンドポイント５３０ａを有する略錐面である。プリズム面ユニット５３１は、光学面ユニット５３３に比べ、エンドポイント５３０ａから離れる位置に設置されており、プリズム面ユニット５３１はエンドポイント５３０ａを中心として環状に配列されている。光学面ユニット５３３も同じように反射機能を有し、光学面ユニット５３３はエンドポイント５３０ａに近接する位置に設置されている。
【００３４】
図６Ａ及び図６Ｂを参照し、図６Ａ及び図６Ｂはそれぞれ本発明の第６実施形態による光学レンズの立体図及び上面図である。図６Ａ及び図６Ｂに示された光学レンズ６００の構造は大体前記光学レンズ５００の構造と同じであり、光学レンズ６００の凹み表面６３０は同様にプリズム面ユニット６３１及び光学面ユニット６３３により繋ぎ合わせて構成されており、差異点としては、プリズム面ユニット６３１及び光学面ユニット６３３が異なる配列方式を有する点のみである。
【００３５】
図６Ａ及び図６Ｂに示すように、凹み表面６３０は、エンドポイント６３０ａを有する略錐面である。プリズム面ユニット６３１はエンドポイント６３０ａに近接している位置に設置されており、プリズム面ユニット６３１はエンドポイント６３０ａを中心として環状に配列されている。光学面ユニット６３３も同じように反射機能を有し、光学面ユニット６３３はエンドポイント６３０ａから離れている位置に設置されている。図７Ａ及び図７Ｂを参照し、図７Ａ及び図７Ｂは、それぞれ本発明の第７実施形態に係る光学レンズの斜視図及び上面図である。図７Ａ及び図７Ｂに示された光学レンズ７００の構造は概ね前記光学レンズ６００の構造と同じであり、光学レンズ７００の凹み表面７３０は同様にプリズム面ユニット７３１及び光学面ユニット７３３により繋ぎ合わせて構成され、差異点としては、光学面ユニット７３３が二つ以上のサブ光学面ユニット７３３ａにより繋ぎ合わせて構成されている点のみで、これによって同じく光線の進行路線を部分的に制御する目的を達することができる。他の実施例において、プリズム面ユニット及び光学面ユニットは異なる配列方式であってもよい。図７Ｃ〜図７Ｅを参照し、図７Ｃ〜図７Ｅは、それぞれ本発明の第８〜第１０実施形態に係る光学レンズの上面図である。図７Ｃに示すように、光学レンズ７０２のプリズム面ユニット７０２ａ及び光学面ユニット７０２ｂは放射状に交互して配列されている。図７Ｄに示すように、光学レンズ７０４のプリズム面ユニット７０４ａ及び光学面ユニット７０４ｂは環状に交互して配列されている。図７Ｅに示すように、光学レンズ７０６のプリズム面ユニット７０６ａ及び光学面ユニット７０６ｂは不規則形状に交互して配列されている。
【００３６】
同時に図３Ｂ及び図８を参照し、図８は、本発明の一実施形態に係るバックライトモジュールの装置を示す図である。本実施形態のバックライトモジュール８００は背面板８１０、反射シート８２０、光学板８３０、少なくとも一つの光源８４０及び少なくとも一つの光学レンズ３００を備えている。さらに具体的には、本実施形態は光学レンズ３００を例とし、他の実施形態の光学レンズもこのバックライトモジュール８００に用いられる。一部の実施例において、バックライトモジュール８００は直下型バックライトモジュールであってもよく、前記光学板８３０は拡散板であってもよい。他の実施例において、バックライトモジュール８００は側面入光式バックライトモジュールで、前記光学板８３０は導光板であってもよい。
【００３７】
続いて図８を参照し、光源８４０は、背面板８１０に設置されており、回路基板８４０ａと、回路基板８４０ａに設置された少なくとも一つの発光ユニット８４０ｂとを備えている。光学レンズ３００の数と発光ユニット８４０ｂの数は対応しており、光学レンズ３００は発光ユニット８４０ｂの上方に対応して設置されている。一部の実施例において、光学レンズ３００の底部にピン３２０を設けてもよい。そのため、光学レンズ３００は、光学レンズ３００と回路基板８４０ａの間に収容空間３２０ａが形成されるように、ピン３２０を介して回路基板８４０ａに設置されている。そのため、発光ユニット８４０ｂは、光学レンズ３００の入光面１２０の下方に位置するように、この収容空間３２０ａに設置されてもよい。
【００３８】
図８に示すように、反射シート８２０は複数の貫通穴８２０ａを有している。そのため、反射シート８２０は、貫通穴８２０ａによって光学レンズ３００に外嵌することができる。光学板８３０は、反射シート８２０の上方に設置され、入光面である第１面８３０ａと、出光面である第２面８３０ｂとを有している。そのため、光源８４０により提供される光線は、光学レンズ３００の入光面１２０から本体１１０に入り、それぞれのプリズム面ユニット３３１によって反射された後、出光面１４０より出射される。光線は光学レンズ３００の出光面１４０から出射されてから、一部の光線は光学板８３０の第１面８３０ａから直接光学板８３０に入り、第２面８３０ｂから出射され、他の一部の光線は先に反射シート８２０によって反射された後、光学板８３０から出射される。前記により分かるように、光線が光学レンズ３００によって反射された後、大きい出射角を生成することができる。そのため、光源８４０の数を減らすことで、隣接している光源８４０のピッチを大きくさせる時、光線８４０により生成された光線が相変わらずその内のエリアに混合することができ、よってバックライトモジュール８００の厚さ及び重量を軽減することができ、バックライトモジュール８００の出光均一度を保持することもできる。
【００３９】
同時に図９を参照し、図９は、本発明の実施形態に係る表示装置の装置を示す図である。本実施形態の表示装置９００はバックライトモジュール８００及び表示パネル９１０を備える。図９に示すように、表示パネル９１０はバックライトモジュール８００の光学板８３０の上方に設置されており、光学板８３０の第２面８３０ｂによって出光された光線は表示パネル９１０に入ることで、前記と同様な目的を達することができる。
【００４０】
上記の本発明の実施形態によれば、本発明の光学レンズは、延伸方向が異なる法線を有するプリズム面ユニットによって形成された凹み表面を反射面とし、光線を反射して光線の光学レンズにおける進行方向を調整することで、出光角度を制御するという目的を達することができる。また、各プリズム面の配列方式、サイズ又は形状を変更することにより、光線の進行方向を部分的に調整する目的も達することができる。これにより、バックライトモジュールと表示装置に応用される光学レンズの数及び全体的な厚さを減らし、バックライトモジュールと表示装置の出光均一度を向上させることができる。一方、本発明の入光面と出光面を、所定の傾斜度を有する斜面とすることにより、光学レンズの製造の簡易化を図り、光学レンズの成形精度を向上させることができる。
【００４１】
上記のように、本発明は、実施形態を用いて説明したが、これに限定されるものではなく、当業者にとって、本発明の範囲と精神を逸脱しない限り、様々な変更や改良を行うことができ、そのため、本発明の保護範囲が、特許請求の範囲に記載される内容に基づくものである。
【符号の説明】
【００４２】
１００      光学レンズ
１１０      本体
１１１      頂部
１１３      底部
１１３ａ    入光空間
１２０      入光面
１３０      凹み表面
１３０ａ    エンドポイント
１３１      プリズム面ユニット
１３１ａ    法線
１４０      出光面
１６０      光源
２００      光学レンズ
２３０      凹み表面
２３０ａ    エンドポイント
２３１      プリズム面ユニット
２３１ａ    法線
３００      光学レンズ
３２０      ピン
３２０ａ    収容空間
３３０      凹み表面
３３０ａ    エンドポイント
３３１      プリズム面ユニット
３３１ａ    法線
４００      光学レンズ
４３０      凹み表面
４３１      プリズム面ユニット
５００      光学レンズ
５３０      凹み表面
５３０ａ    エンドポイント
５３１      プリズム面ユニット
５３３      光学面ユニット
６００      光学レンズ
６３０      凹み表面
６３０ａ    エンドポイント
６３１      プリズム面ユニット
６３３      光学面ユニット
７００      光学レンズ
７０２      光学レンズ
７０２ａ    プリズム面ユニット
７０２ｂ    光学面ユニット
７０４      光学レンズ
７０４ａ    プリズム面ユニット
７０４ｂ    光学面ユニット
７０６      光学レンズ
７０６ａ    プリズム面ユニット
７０６ｂ    光学面ユニット
７３０      凹み表面
７３１      プリズム面ユニット
７３３      光学面ユニット
７３３ａ    サブ光学面ユニット
８００      バックライトモジュール
８１０      背面板
８２０      反射シート
８２０ａ    貫通穴
８３０      光学板
８３０ａ    第一面
８３０ｂ    第二面
８４０      光源
８４０ａ    回路基板
８４０ｂ    発光ユニット
９００      表示装置
９１０      表示パネル
【図１Ａ】
0006763528.tif 000002
【図１Ｂ】
0006763528.tif 000003
【図１Ｃ】
0006763528.tif 000004
【図２Ａ】
0006763528.tif 000005
【図２Ｂ】
0006763528.tif 000006
【図２Ｃ】
0006763528.tif 000007
【図３Ａ】
0006763528.tif 000008
【図３Ｂ】
0006763528.tif 000009
【図３Ｃ】
0006763528.tif 000010
【図４Ａ】
0006763528.tif 000011
【図４Ｂ】
0006763528.tif 000012
【図５Ａ】
0006763528.tif 000013
【図５Ｂ】
0006763528.tif 000014
【図６Ａ】
0006763528.tif 000015
【図６Ｂ】
0006763528.tif 000016
【図７Ａ】
0006763528.tif 000017
【図７Ｂ】
0006763528.tif 000018
【図７Ｃ】
0006763528.tif 000019
【図７Ｄ】
0006763528.tif 000020
【図７Ｅ】
0006763528.tif 000021
【図８】
0006763528.tif 000022
【図９】
0006763528.tif 000023